(57)【特許請求の範囲】
【請求項１】
収容箱本体と、
それぞれが複数の蓄電池からなり、前記収容箱本体に収容される複数の蓄電ユニットと、
前記収容箱本体の前面周縁に設けられ、前記各蓄電池の電極面上に配線用空間を確保する枠体と、
前記枠体の前面開口に着脱自在に設けられたカバーと、
前記枠体の外周面に設けられた電圧点検用端子と、
前記各蓄電池の電極と前記電圧点検用端子との間に接続されたリード線と、
前記枠体の内側に設けられ、前記リード線が収容される配線ケースと、
を備えていることを特徴とする配線ケース付蓄電池収容箱。
【請求項２】
請求項１に記載の配線ケース付蓄電池収容箱において、
前記収容箱本体は、前記各蓄電ユニットを収容するための複数の枠状筐体を積み重ねて構成されていることを特徴とする配線ケース付蓄電池収容箱。
【請求項３】
請求項１に記載の配線ケース付蓄電池収容箱において、
前記収容箱本体は、前記各蓄電ユニットを収容するための複数の枠状筐体および配線用筐体を積み重ねて構成されていることを特徴とする配線ケース付蓄電池収容箱。
【請求項４】
請求項１ないし請求項３のいずれかに記載の配線ケース付蓄電池収容箱において、
前記各蓄電池の電極の相互間に接続された配線部材、をさらに備えていることを特徴とする配線ケース付蓄電池収容箱。
【請求項５】
請求項１ないし請求項３のいずれかに記載の配線ケース付蓄電池収容箱において、
前記電圧点検用端子は、前記各蓄電ユニットと対応する位置にそれぞれ設けられ、対応する蓄電ユニットにおける各蓄電池の電極に配線接続されている、
前記配線ケースは、前記各蓄電ユニットと対応する位置に設けられている、
ことを特徴とする配線ケース付蓄電池収容箱。
【発明の詳細な説明】
【０００１】
【発明の属する技術分野】
この発明は、複数の蓄電ユニットが収容されるキュービクルタイプの配線ケース付蓄電池収容箱に関する。
【０００２】
【従来の技術】
夜間電力を蓄え、その蓄えた電力を電力使用量の多い昼間に放電する電力貯蔵システムが知られている。この夜間電力の利用に加え、停電時に負荷への電力供給を無瞬断で継続する機能を兼ね備えた電力貯蔵システムもある。
【０００３】
このような電力貯蔵システムでは、電力を蓄える手段として、多数の蓄電池が使用される。これら蓄電池は、専用の蓄電池室がある場合はその蓄電池室に設置され、蓄電池室が無い場合はキュービクルタイプの蓄電池収容箱に収容される。
【０００４】
キュービクルタイプの蓄電池収容箱に収容される各蓄電池は、複数個ずつユニット化されるとともに、配線接続が容易となるよう電極面が収容箱本体の前面開口に臨む状態に配列される。
【０００５】
【発明が解決しようとする課題】
蓄電池収容箱の前面開口は、安全上、人体等が蓄電池の電極に触れることができないよう、カバーで閉塞される。
ただし、収容箱本体の前面開口を単にカバーで閉塞するだけでは、各蓄電池の電極面とカバーとの間の隙間が狭くなり、配線接続用のスペースを十分に確保できなくなってしまう。カバーが配線部材に当たると、振動等を受けた際に接続が外れてしまう可能性もある。
【０００６】
また、各蓄電池の状態（劣化や寿命）を点検する場合、その都度、カバーを外して各蓄電池の電圧を測定しなければならず、点検を行う作業員にとって大きな負担となっている。
【０００７】
この発明は上記の事情を考慮したもので、その目的とするところは、各蓄電池の配線接続に必要なスペースを十分に確保することができ、しかも各蓄電池の状態をいちいちカバーを外すことなく迅速かつ確実に点検することが可能な実用性にすぐれた配線ケース付蓄電池収容箱を提供することにある。
【０００８】
【課題を解決するための手段】
請求項１に係る発明の配線ケース付蓄電池収容箱は、収容箱本体と、それぞれが複数の蓄電池からなり上記収容箱本体に収容される複数の蓄電ユニットと、上記収容箱本体の前面周縁に設けられ上記各蓄電池の電極面上に配線用空間を確保する枠体と、この枠体の前面開口に着脱自在に設けられたカバーと、上記枠体の外周面に設けられた電圧点検用端子と、上記各蓄電池の電極と上記電圧点検用端子との間に接続されたリード線と、上記枠体の内側に設けられ上記リード線が収容される配線ケースと、を備えている。
【０００９】
請求項２に係る発明の配線ケース付蓄電池収容箱は、請求項１に係る発明において、収容箱本体について限定している。収容箱本体は、各蓄電ユニットを収容するための複数の枠状筐体を積み重ねて構成されている。
【００１０】
請求項３に係る発明の配線ケース付蓄電池収容箱は、請求項１に係る発明において、収容箱本体について限定している。収容箱本体は、前記各蓄電ユニットを収容するための複数の枠状筐体および配線用筐体を積み重ねて構成されている。
【００１１】
請求項４に係る発明の配線ケース付蓄電池収容箱は、請求項１ないし請求項３のいずれかに係る発明において、さらに、各蓄電池の電極の相互間に接続された配線部材、を備えている。
【００１２】
請求項５に係る発明の配線ケース付蓄電池収容箱は、請求項１ないし請求項３のいずれかに係る発明において、電圧点検用端子および配線ケースについて限定している。電圧点検用端子は、各蓄電ユニットと対応する位置にそれぞれ設けられ、対応する蓄電ユニットにおける各蓄電池の電極に配線接続されている。配線ケースは、各蓄電ユニットと対応する位置に設けられている。
【００１３】
【発明の実施の形態】
以下、この発明の一実施形態について図面を参照して説明する。
図１および図２において、１は収容箱本体で、複数の枠状筐体２および１つの配線用筐体３を上下方向に積み重ねて連結し、低部を２本のＨ形のベース部材４で支持している。
【００１４】
各枠状筐体２には、蓄電ユニット（組電池ともいう）５がそれぞれ収容されている。これら蓄電ユニット５は、電極面が収容箱本体１の前面側を向く状態に配列された複数の蓄電池（単電池ともいう）６からなる。また、各蓄電ユニット５の境界部には、各蓄電池６を固定するための板状の押え部材が７が取付けられている。
【００１５】
各蓄電池６の正電極６ａ，負電極６ｂは、各蓄電池６が電気的に直列接続されるよう、配線部材８により順次に配線接続されている。最上段の蓄電ユニット５における２つの蓄電池６は、直列接続の始端位置および終端位置に対応しており、始端位置の蓄電池６の正電極６ａと終端位置の蓄電池６の負電極６ｂにそれぞれ配線部材９ａ，９ｂが接続されている。
配線部材９ａ，９ｂは、配線用筐体３の内部空間に導かれ、その内部空間に設けられる接続用端子（図示しない）を介して、後述の配線ケーブル１３ａ，１３ｂと接続される。
【００１６】
この収容箱本体１の前面周縁に矩形状の枠体１１が取付けられている。この枠体１１の取付けにより、各蓄電池６の電極面上に配線用空間が確保される。そして、枠体１１の前面開口に複数枚のカバー２１が着脱自在に取付けられている。カバー２１は、把手部２２および通気孔２３を有している。
【００１７】
枠体１１は、上面部に、外部機器から導入される配線ケーブル１３ａ，１３ｂを通すためのケーブル挿通孔１２を有している。このケーブル挿通孔１２は、配線ケーブル１３ａ，１３ｂが通された後、火気漏れ等に対する安全確保のため、難燃性の樹脂材料で密閉される。
【００１８】
また、枠体１１の外周面たとえば側面部に、複数の電圧点検用端子１４が設けられている。これら電圧点検用端子１４は、各蓄電ユニット５と対応する位置に設けられ、対応する蓄電ユニット５にのみ配線接続されている。この電圧点検用端子１４の詳細を図３に示している。
【００１９】
電圧点検用端子１４は、開閉自在な蓋体１４ａを有している。保守点検時にこの蓋体１４ａが開放されることにより、複数組の端子１５ａ，１５ｂが露出する。これら端子１５ａ，１５ｂは、それぞれリード線１６ａ，１６ｂを介して、各蓄電池６の電極６ａ，５ｂに配線接続されている。これら端子１５ａ，１５ｂに電圧計１７の測定用端子を当接することにより、各蓄電池６の電圧を個別に検出してその劣化や寿命を判定することができる。
【００２０】
なお、蓋体１４ａは感電防止のため絶縁部材で成形されるが、それに加え、蓋体１４ａに錠を取付け、保守員の専用キーによってのみ蓋体１４ａを施錠・開錠し得る構成とするのが望ましい。
【００２１】
枠体１１の内側には、各蓄電ユニット５と対応する位置に且つ各蓄電池６の配列方向に沿って、棒状の配線ケース１８が設けられている。配線ケース１８は、図４に示すように、ベース部１８ａとそのベース部１８ａに対して着脱自在なカバー部１８ｂからなり、ベース部１８ａには各蓄電池６と対応する位置にリード線挿通孔１９が形成され、カバー部１８ｂには電圧点検用端子１４と対応する位置にリード線挿通孔２０が形成されている。これら配線ケース１８に上記リード線１６ａ，１６ｂ群が収容される。
【００２２】
以上のように、収容箱本体１の前面周縁に枠体１１を設け、その枠体１１にカバー２１を取付けることにより、各蓄電池６の電極面上に十分な配線用空間を確保することができる。よって、カバー２１が取付けられても、そのカバー２１が配線部材８，９ａ，９ｂに当たってしまうことはなく、配線部材８，９ａ，９ｂの接続外れを未然に防ぐことができる。しかも、各蓄電池６の電極面上に確保される配線用空間は、そのまま配線用筐体３の内部空間にも通じているので、各蓄電池６の両端の配線部材９ａ，９ｂを配線用筐体３の内部空間にスムーズかつ容易に取り込むことができる。
【００２３】
各カバー２１は通気孔２３を有しているので、収容箱本体１内を効率良く換気することができる。
【００２４】
複数の電圧点検用端子１４を枠体１１の側面に設けているので、その電圧点検用端子１４を通して各蓄電池６の電圧を個別にチェックすることができ、各蓄電池６の劣化や寿命の判定が容易である。作業員にとっては、いちいちカバー２１を外すなどの面倒な作業を要することなく迅速かつ確実に点検を行うことができ、作業負担が大幅に軽減される。
【００２５】
各電圧点検用端子１４と各蓄電池６との間のリード線１６ａ，１６ｂ群を各配線ケース１８に収容しているので、蓄電池６の交換等の保守作業に際し、リード線１６ａ，１６ｂ群の存在が作業の邪魔にならず、必要な処置を迅速かつ確実に完了することができる。この点でも、作業負担が大幅に軽減される。
【００２６】
なお、上記実施形態において、蓄電ユニット５および蓄電池６の個数については、適宜に選定可能である。その他、この発明は上記各実施形態に限定されるものではなく、要旨を変えない範囲で種々変形実施可能である。
【００２７】
【発明の効果】
以上述べたようにこの発明によれば、各蓄電池の配線接続に必要なスペースを十分に確保することができ、しかも各蓄電池の状態をいちいちカバーを外すことなく迅速かつ確実に点検することが可能な実用性にすぐれた配線ケース付蓄電池収容箱を提供できる。
【図面の簡単な説明】
【図１】一実施形態の全体的な構成を示す斜視図。
【図２】図１の収容箱本体を拡大して示す斜視図。
【図３】一実施形態の電圧点検用端子、リード線、および配線ケースの構成を示す図。
【図４】一実施形態の配線ケースの具体的な構成を示す斜視図。
【符号の説明】
１…収容箱本体、２…枠状筐体、３…配線用筐体、５…蓄電ユニット、６…蓄電池、６１，６ｂ…電極、８，９ａ，９ｂ…配線部材、１１…枠体、１２…ケーブル挿通孔、１３ａ，１３ｂ…配線ケーブル、１４…電圧点検用端子、１５ａ，１５ｂ…端子、１６ａ，１６ｂ…リード線、１７…電圧計、１８…配線ケース、２１…カバー
【図１】
0003788949.tif 000002
【図２】
0003788949.tif 000003
【図３】
0003788949.tif 000004
【図４】
0003788949.tif 000005